(57)【特許請求の範囲】
【請求項１】
靴紐を備えた靴において、靴紐（６）の結紐部（８）を覆うと共に、覆った状態を保持可能なカバー体（１０）を備え、該カバー体（１０）をその長手方向が靴の左右方向となる帯状として靴紐のうちその結紐部（８）のみを覆う構成とし、該カバー体（１０）は伸縮性を有して、靴の長手方向に伸ばすようにして前記結紐部（８）を覆うものであることを特徴とする靴。
【請求項２】
前記カバー体（１０）は、足の甲部を覆っている靴の甲被部（１）の少なくとも一部が露出するよう設けられてなることを特徴とする請求項１記載の靴。
【請求項３】
前記カバー体（１０）は、力が作用していない状態の時、靴の縦方向の断面が結紐部（８）を含む方向に湾曲形状を成すことを特徴とする請求項１または請求項２記載の靴。
【請求項４】
前記カバー体（１０）は、その左右方向の一端部が靴の履き口（２）の外周部に固定されており、結紐部（８）を覆う際に他端部を把持して結紐部（８）に被せるものであることを特徴とする請求項１乃至請求項３の何れかに記載の靴。
【請求項５】
前記カバー体（１０）は、靴の履き口（２）に取外し可能に設けられていることを特徴とする請求項１乃至請求項３の何れかに記載の靴。
【発明の詳細な説明】
【０００１】
【発明の属する技術分野】
本発明は靴、特に足にフィットさせるための靴紐を備える靴であって、釣用として好適な靴に関する。
【０００２】
【従来の技術】
靴を履いた後に、靴の甲被部を靴紐により緊締する構成のものが知られている。このような従来の靴は、靴紐の結紐部を解いて緩めることで着用を容易に行うことができる。また、甲被部を靴紐でしっかりと緊締することで、甲被部を足にうまくフィットさせることができ、着用感に優れるという利点がある。その為、日常はもちろん運動時に着用する靴としても広く用いられている。
【０００３】
【発明が解決しようとする課題】
しかし、上記従来の靴にあっては、結紐部が解けてしまった場合、自分で靴紐を踏んでしまい転倒する危険がある。また、釣場、特に磯場など傾斜していたり、岩が凹凸形状になっている場所では、靴紐の結紐部が岩などに引っ掛かり、足をとられてしまうことがある。磯場などで足をとられて転倒すると思わぬ事故につながるため、大変危険である。
【０００４】
そこで、本発明はこのような問題を解決するためになされたもので、靴紐を備えた靴において、結紐部の引っ掛かり及び結紐部の解けを防止し、安全に装着することのできる靴を提供することを課題とする。
【０００５】
本発明は、靴紐を備えた靴において、靴紐６の結紐部８を覆うと共に、覆った状態を保持可能なカバー体１０を備え、該カバー体１０をその長手方向が靴の左右方向となる帯状として靴紐のうちその結紐部８のみを覆う構成とし、該カバー体１０は伸縮性を有して、靴の長手方向に伸ばすようにして前記結紐部８を覆うものであることを特徴としている。
【０００６】
かかる構成によれば、靴を履き、靴紐６を結んで結紐部８を形成した後に、カバー体１０を左右方向に伸ばすようにして結紐部８を覆う。そしてカバー体１０が外れないようにその覆った状態をカバー体１０の張力で抑え付けて確実に保持するとともに、カバー体１０の下に結紐部８を隠すことができる。また、靴の着用時及び着用後にカバー体１０から結紐部８の一部が食み出たとしても、カバー体１０を伸ばすことでカバー体１０の下に容易に押し込むことができる。ここで言う結紐部８とは、靴紐６の結び目及び結び目を形成した後の余剰部分、蝶結びの場合はループ部分を含むものである。
【０００７】
また、本発明では、前記カバー体１０は、足の甲部を覆っている靴の甲被部１の少なくとも一部が露出するよう設けられていることが好ましい。このように甲被部１の少なくとも一部をカバー体１０で覆うことなく露出させることで、靴内部の通気性を確保できる。
【０００８】
本発明のカバー体１０は、力が作用していない状態の時、靴の縦方向の断面が結紐部８を含む方向に湾曲形状を成すことが好ましい。この構成によれば、結紐部８をカバー体１０によって包み込むように覆うことができる。
【０００９】
本発明の靴におけるカバー体１０は、その左右方向の一端部が靴の履き口２の外周部に固定されており、結紐部８を覆う際に他端部を把持して結紐部８に被せるものであることが好ましい。
【００１０】
上記構成によれば、カバー体１０の他端部を把持して結紐部８の上側に被せるだけで、結紐部８を容易に覆うことができる。
【００１１】
本発明の靴におけるカバー体１０は、靴の履き口２に取外し可能に設けられていることが好ましい。
【００１２】
上記構成によれば、結紐部８を覆う必要がない時は、カバー体１０を取り外して使用することができる。
【００１３】
【発明の実施の形態】
以下、本発明の実施の形態の一例について図面を参照して説明する。本実施形態に係る靴は、図１及び図２の如く、通常の靴と同様にソール部Ａとアッパー部Ｂとを備え、さらにアッパー部Ｂの上端部には、カバー体１０が設けられて基本構成されている。図１及び図２では、アッパー部Ｂとして足首まで被うことができるハイタイプ形式のものが示されているが、ロータイプ形式のものであってもよい。
【００１４】
前記アッパー部Ｂの甲被部１には、履き口２から爪先部３にかけて甲被開口部４が形成され、甲被開口部４の下面側は舌状蓋片５により閉じることができる構成になっている。該舌状蓋片５は、通気性を持たせるために、表面はメッシュ生地を採用することが好ましい。甲被部１には、甲被開口部４の縁に沿って紐通し穴７列が甲被開口部４を挟んで２列設けられ、該紐通し穴７列間にジグザグ状に挿通された靴紐６を緊締することにより、甲被部１を足にフィットさせることができる。そして、前記靴紐６が緩まないように、甲被開口部４の履き口２近傍で靴紐６の先端部を結んで結紐部８を形成する。以上の構成は、従来の靴紐緊締タイプの靴の構成と実質的に異なるところがない。
【００１５】
前記カバー体１０は、帯状に形成され、一端がアッパー部Ｂの上端部、つまり履き口２の外周部に固定されていると共に、他端部は揺動可能に構成されている。そして、図１の如くかかるカバー体１０を、該カバー体１０の長手方向が靴の左右方向に伸びるように、甲被開口部４を横断させ、履き口２の外周部に沿わせる。そうすると、カバー体１０が結紐部８の上側に被さるように配置される。好ましくは、該カバー体１０の長手方向の長さは、履き口２の外周長さの略１／２乃至１／３に形成する。該カバー体１０は、例えば、ネオプレーンが用いられるが、同等の伸縮性を有する他の材料であってもよい。また、カバー体１０を結紐部８の上側に被せた状態（図１の状態）の時、該カバー体１０を靴の左右方向と直交する縦方向の断面で切断した場合、図３及び図４の如く、その断面形状が結紐部８を包む方向に湾曲した形状を成している。前記カバー体１０の湾曲した断面形状は、カバー体１０を立体裁断により形成することで実現される。前記カバー体１０のより好ましい形状としては、長手方向にも履き口２の外周部に沿う方向に湾曲した形状を成していることである。そうすれば、カバー体１０を履き口２の外周部に沿わせ易くなるため、カバー体１０により結紐部８をさらに容易に覆うことが可能となる。
【００１６】
また、前記カバー体１０の他端部には線状体１１が環状を成すよう設けられており、該線状体１１をアッパー部Ｂ上端部に設けられたコの字状の爪１２に係止することにより、カバー体１０が結紐部８を覆った状態に保持される。そして、線状体１１を爪１２から外せばカバー体１０を結紐部８から放し、結紐部８を外側に露出させることができるため、該結紐部８を解いたり、再び結んで結紐部８を形成することができる。本実施形態において、該線状体１１は弾性を有する合成ゴムで形成されているが、弾性を有しない材料であってもかまわない。また、図１乃至図３において、爪１２は２個設けられているが、１個または３個以上であってもよい。
【００１７】
カバー体１０の他端に備えた線状体１１を爪１２に係止して、カバー体１０保持した時、カバー体１０に張力がかかってカバー体１０が長手方向に伸長することが好ましい。張力をかけた状態でカバー体１０を保持することにより、結紐部８がカバー体１０の収縮力により押え付けられるため、結紐部８がカバー体１０の下側で暴れることなく、しっかり保持される。
【００１８】
図１及び図２の如く、線状体１１にはツマミ１３を設けることが好ましく、ツマミ１３を把持して線状体１１を爪１２に係止することにより、カバー体１０の固定が容易に行える。さらに、該ツマミ１３の裏面及び爪１２の近傍に一対の面ファスナー１４ａ，１４ｂが設けられている。線状体１１を爪１２に係止した後に、該一対の面ファスナー１４ａ，１４ｂを着接することにより、ツマミ１３が揺動することを防止できる。
【００１９】
本実施形態にかかる靴を着用するときは、まず履き口２からアッパー部Ｂ内に足を入れ、甲被部１が足にフィットするように靴紐６を締め上げて結紐する。しかる後、カバー体１０で結紐部８を覆い、線状体１１を爪１２に係止してカバー体１０を保持する。結紐部８の端部がカバー体１０より食み出している時は、カバー体１０を持ち上げるように伸ばしながら、結紐部８をカバー体１０の下に押し込むことにより、結紐部８を完全に覆うことができる。
【００２０】
そうすると、結紐部８がカバー体１０の下側に隠れるため、結紐部８が岩などに引っ掛かることがなくなる。また、結紐部８はカバー体１０の弾性力により押えられているので、結紐部８がカバー体１０の下側で暴れて解けることも防止できる。
【００２１】
着用状態においては、靴紐６の緊締により甲被部１ひいてはアッパー部Ｂが足にうまくフィットし良好な着用感が得られる。しかもカバー体１０は靴紐６の結紐部８のみを覆っているので、靴本来が持つ柔軟性や通気性は損われないという利点を有する。
【００２２】
そして、カバー体１０を立体裁断して湾曲状に形成することにより、結紐部８を包み込むように保持できるため、結紐部８がカバー体１０から食み出しにくくなる。また、立体裁断の他、例えば平面の材料に縁かがり縫製を施すことにより、カバー体１０を湾曲状に形成してもよい。
【００２３】
また、カバー体１０の一端を固定することにより、カバー体１０の他端部を把持して結紐部８の上側に被せるだけで、結紐部８を容易に覆うことができる。
【００２４】
尚、本発明に係る靴は、前記実施形態に限定されるものではなく、本発明の要旨を逸脱しない範囲にて種々の変更が可能である。例えば、カバー体１０の一端を固定せず、両端ともに取外しが可能な構成としてもよい。そうすれば、結紐部８を覆う必要がない時は、カバー体１０を取り外して使用することができる。
【００２５】
また、カバー体１０の他端は、線状体１１及び爪１２の代わりに面ファスナー、ボタン、ホック等、またはその他の公知の技術により保持することができる。
【００２６】
さらに、上記実施形態においてカバー体１０は帯状を形成しているが、結紐部８を覆うことが可能な形状であれば、その他の形状であってもよい。
【００２７】
尚、本発明にかかる靴は、釣に使用される靴のみならず、日常履く靴としても使用可能であることは言うまでもない。例えば、車を運転する時に着用すれば、結紐部８がペダルに引っ掛かることを防止できるし、ランニングなどの運動時に着用すれば、自分で靴紐６を踏んで転倒することを防止できる。
【００２８】
【発明の効果】
以上ように、本発明に係る靴は、カバー体にて靴紐の結紐部を覆うことにより、結紐部の引っ掛かり及び結紐部の解けを防止できるため、足場の悪い所でも安全に着用することが可能となる。
【００２９】
さらに、カバー体は伸縮性を有する材料で構成されているため、カバー体から結紐部の一部が食み出たとしても、カバー体の下に容易に押し込むことができると共に、結紐部がカバー体の弾性力により押えつけられるので、結紐部をしっかり保持することができる。
【００３０】
また、カバー体を甲被部の少なくとも一部が露出するよう設けたことにより、靴の通気性を確保できるため、足の蒸れを防止できる。
【００３１】
しかも、カバー体を湾曲形状とすることで、結紐部を包み込むようになるため、結紐部の食み出しを抑えることが可能となる。
【図面の簡単な説明】
【図１】本発明の実施形態に係る靴の斜視図。
【図２】図１のカバー体を外した状態を示す斜視図。
【図３】同実施形態に係る靴のカバー体近傍の側面図で、カバー体を靴の略中心線で切断した状態を示す。
【図４】図２のＣ−Ｃ断面図。
【符号の説明】
Ａ…ソール部、Ｂ…アッパー部、１…甲被部、２…履き口、３…爪先部、４…甲被開口部、５…舌状蓋片、６…靴紐、７…紐通し穴、８…結紐部、１０カバー体、１１…線状体、１２…爪、１３…ツマミ、１４ａ，１４ｂ…面ファスナー
【図１】
0003706070.tif 000002
【図２】
0003706070.tif 000003
【図３】
0003706070.tif 000004
【図４】
0003706070.tif 000005